(57)【特許請求の範囲】
【請求項１】
上部が開口になっており、飲料が充填される元容器と、
前記元容器内の飲料を分配して注入する形状および寸法が同一の複数のカップ状簡易容器から成る分配容器と、
上部が上方に開放された凹陥部から成る保持部になっており、しかも前記元容器の上部開口を閉塞する蓋体と、
を具備し、形状および寸法が同一の複数のカップ状の前記分配容器を逆様にして複数個重ねた状態で前記蓋体の保持部に保持するとともに、最上段の分配容器の開口の外周側のカール部を前記凹陥部の内周面に形成されている係止用リブによって係止するようにしたことを特徴とする飲料用容器。
【請求項２】
前記元容器が断熱性の発泡体材料から成り、内部に充填された飲料を保温した状態で保持する保温容器であることを特徴とする請求項１に記載の飲料用容器。
【発明の詳細な説明】
【０００１】
【発明の属する技術分野】
本発明は飲料用容器に係り、とくに元容器と分配容器とを組合わせて成る飲料用容器に関する。
【０００２】
【従来の技術】
ファーストフード店において飲料を供給するために、従来より使捨て式の簡易容器、例えば合成樹脂製の容器あるいは紙製の容器が用いられていた。このような使捨て式の簡易容器には所定の飲料が充填されるとともに、上部開口を真空成形された偏平な成形体から成る蓋で閉じるようにしていた。この場合に上部開口を閉じる蓋は、容器内の飲料がこぼれるのを防ぐ機能を有している。
【０００３】
【発明が解決しようとする課題】
ファーストフード店において大勢で飲料を飲む場合には、人数と同じ数の容器を用意し、これらにそれぞれ別々に飲料を充填して蓋を施し、供給するようにしていた。ところが比較的小さな使捨て式簡易容器にそれぞれ別々に飲料を充填するようにした場合には、とくに加温されたコーヒー等の飲料の場合には、放熱して温度が早く低下し易いという問題があった。
【０００４】
本発明はこのような問題点に鑑みてなされたものであって、比較的長時間にわたって所定の温度に保持することができるとともに、必要に応じて分配して飲料を飲むことができるようにした飲料用容器を提供することを目的とする。
【０００５】
【課題を解決するための手段】
本発明は、上部が開口になっており、飲料が充填される元容器と、
前記元容器内の飲料を分配して注入する形状および寸法が同一の複数のカップ状簡易容器から成る分配容器と、
上部が上方に開放された凹陥部から成る保持部になっており、しかも前記元容器の上部開口を閉塞する蓋体と、
を具備し、形状および寸法が同一の複数のカップ状の前記分配容器を逆様にして複数個重ねた状態で前記蓋体の保持部に保持するとともに、最上段の分配容器の開口の外周側のカール部を前記凹陥部の内周面に形成されている係止用リブによって係止するようにしたことを特徴とする飲料用容器に関するものである。
【０００６】
前記元容器が断熱性の発泡体材料から成り、内部に充填された飲料を保温した状態で保持する保温容器であってよい。
【０００８】
【発明の実施の形態】
図面は本発明の一実施の形態に係る飲料用容器を示すものであって、この飲料用容器は図１〜図３に示すように、元容器１１と、蓋体１２と、この蓋体１２の上部に形成されている凹陥部から成る保持部１３に保持されている複数のカップ状簡易容器１４とから構成されている。すなわちこの飲料用容器は複合式容器になっている。
【０００９】
元容器１１はポリスチレンのビーズを発泡させて成る発泡体から構成されており、円錐台状の胴部１８を備えるとともに、図２に示すようにこの胴部１８の下端側が一体に設けられている底板１９によって閉塞されるようになっている。また胴部１８の上部にはその外周側にリブ２０が形成されるとともに、このリブ２０によって上部開口２１の開口縁部の補強を行なうようにしている。
【００１０】
次に元容器１１の上部開口２１を閉塞するように装着される蓋体１２は、例えばポリスチレンのシートを圧空成形または真空成形して成る成形体であって、その下端側の周縁部には周璧２５が形成されている。この周璧２５には円周方向に沿って内側に突出するように係止用リブ２６が間欠的に設けられている。このような係止用リブ２６は元容器１１の上部開口２１の周縁部のリブ２０の上縁部のリング状係合部２２の下端側の部分に係合されるようになっており、これによって蓋体１２が元容器１１の上部開口２１を閉じた状態で係止するようにしている。またこの蓋体１２の上部に設けられている凹陥部から成る保持部１３の内周面には別の係止用リブ２７が円周方向に沿って形成されており、複数個のカップ状簡易容器１４が重合って逆様の状態で収納された場合に、これらのカップ状簡易容器１４が脱落するのを防止するようにしている。
【００１１】
次にこのような蓋体１２の凹陥部から成る保持部１３に保持されるカップ状簡易容器１４について説明すると、カップ状簡易容器１４としてここでは紙コップが用いられている。紙コップは扇形に打抜かれた板紙を巻いて胴の部分を円錐台状にしたものであって、その上部開口の縁部を外側に巻込んでカール部３２を形成し、上部開口３１の周縁部の補強を行なうようにしている。また胴部の下端側には底板３３が結合され、これによって底部開口を閉塞するようにしている。このようなカップ状簡易容器が分配容器を構成している。
【００１２】
次にこのような複合式の飲料用容器の使用方法について説明する。元容器１１内にはその内部に所定の量の飲料、例えば加温されたコーヒー飲料、あるいは冷却された清涼飲料等の液体飲料が充填される。そしてこの後にその上部開口２１を蓋体１２によって閉塞する。蓋体１２はその周璧２５に形成されている係止用リブ２とが元容器１１の胴部１８の上端側のリブ２０の上縁のリング状係合部２２と係合し、これによって上部開口２１を閉じた状態で安定に保持される。
【００１３】
次に分配容器を構成する紙製のカップ簡易容器１４を例えば５個重合わせるとともに、重合わされた５個のカップ状簡易容器１４を図１および図２に示すように、逆様にした状態で蓋体１２の凹陥部から成る保持部１３内に挿入する。すると互いに重合わされた５個のカップ状簡易容器１４の内の１番上側に位置するカップ状簡易容器１４のカール部３２が蓋体１２の保持部１３の内周面に形成されている係止用リブ２７に係止されるようになり、これによって重合わされた５個のカップ状簡易容器１４が安定に保持されることになる。
【００１４】
元容器１１内の飲料を複数人で飲む場合には、図３に示すように、まず蓋体１２の保持部１３に保持されているカップ状簡易容器１４を取出して分離し、別々に置く。そしてこの後にさらに元容器１１の蓋体１２を取外す。そして元容器１１内のコーヒー飲料あるいは清涼飲料をカップ状簡易容器１４に注出する。これによってそれぞれのカップ状簡易容器１４に分配して注出された飲料を大勢の人が一緒に飲むことが可能になる。
【００１５】
このような複合式飲料用容器によれば、とくに発泡成形体から成る元容器１１によって、加温された飲料あるいは冷却された飲料をほぼそのままの温度で維持することが可能になる。またこのような元容器１１内に充填されている飲料を分配して飲むための使捨て式のカップ状簡易容器１４が元容器１１の蓋体１２の保持部１３によって保持されているために、別にカップ状簡易１４を用意する必要がなくなり、分配容器を構成するカップ状簡易容器１４の持運びおよび管理が非常に容易になる。
【００１６】
とくにこのような複合式飲料用容器は、元容器１１として例えば容量が１０００〜１５００ｃｃ程度の容器とすると、この元容器１１を簡易型のボトル、水筒、あるいは魔法瓶のように用いることが可能になる。そしてこのような元容器１１内に充填されている飲料を蓋体１２に保持されている分配用のカップ状簡易容器１４に充填して飲むことができる。従って蓋体１２がカップ状簡易容器１４のディスペンサの機能を有することになる。従ってこのような複合式容器を用いて、屋内や屋外を問わず、カップ状の簡易容器１４を簡単に取出して飲料を飲むことが可能になる。
【００１７】
図４はこのような複合式飲料用容器のとくに元容器１１内にコーヒーを充填した場合における時間に対する温度の変化を示している。この温度の測定は、元容器１１として１５００ｃｃの容量を有する発泡成形体の容器を用い、その中に加温されたコーヒーを７５０ｃｃ充填して時間とともに温度がどのように変化するかを測定したものである。この測定結果からも明らかなように、元容器１１によれば、温度の低下を最小限に抑えることが可能になり、実質的に３０分程度の時間であれば、保温容器あるいは保冷容器として使用することが可能なことが判明した。
【００１８】
【発明の効果】
以上のように本発明は、上部が開口になっており、飲料が充填される元容器と、元容器内の飲料を分配して注入する形状および寸法が同一の複数のカップ状簡易容器から成る分配容器と、上部が上方に開放された凹陥部から成る保持部になっており、しかも元容器の上部開口を閉塞する蓋体と、を具備し、形状および寸法が同一の複数のカップ状の分配容器を逆様にして複数個重ねた状態で蓋体の保持部に保持するとともに、最上段の分配容器の開口の外周側のカール部を凹陥部の内周面に形成されている係止用リブによって係止するようにしたものである。
【００１９】
従って蓋体の保持部によって分配容器を重ねた状態で保持することができるために、分配容器を別途用意する必要がなくなるとともに、分配容器の扱いおよび管理が簡便になる。
【００２０】
元容器が断熱性の発泡体材料から成り、内部に充填された飲料を保温した状態で保持する保温容器から構成された場合には、元容器内に充填された飲料の温度変化を抑えることが可能になる。
【図面の簡単な説明】
【図１】飲料用容器の全体の構造を示す分解斜視図である。
【図２】同組立てた状態の縦断面図である。
【図３】使用状態を示す斜視図である。
【図４】元容器内に充填された飲料の温度変化を示すグラフである。
【符号の説明】
１１  元容器
１２  蓋体
１３  保持部（凹陥部）
１４  カップ状簡易容器
１８  胴部
１９  底板
２０  リブ
２１  上部開口
２２  リング状係合部
２５  周璧
２６、２７  係止用リブ
３１  上部開口
３２  カール部
３３  底板
【図１】
0003753788.tif 000002
【図２】
0003753788.tif 000003
【図３】
0003753788.tif 000004
【図４】
0003753788.tif 000005